(57)【要約】【課題】薄い金属板のエッジがなくて足で踏んでも足が痛くなったり、傷付いたりするのを防止でき、また、ボールチェーンの取付けが容易となる。【解決手段】  排水栓１の上面部に第１取付け部材２の下部を水平面内で回動自在に取付ける。第１取付け部材２の上部に第２取付け部材３の一端部を垂直面内で回動自在に取付ける。第１取付け部材２と第２取付け部材３とで構成される取付け具４の外部に露出するほぼ全外面を丸みを持った曲面とする。第２取付け部材３の他端部に嵌め込み穴５を形成すると共に第２取付け部材３に一端が外部に開口し且つ他端が嵌め込み穴５に開口するねじ孔６を形成する。嵌め込み穴５にボールチェーン７の端部を嵌め込む。ねじ孔６に螺合したねじ８の先端部を嵌め込み穴５内に突入させてボールチェーン７の端部のボール９とボール９との間に差し込む。【選択図】図１
2008132034.tif 000002
【特許請求の範囲】
【請求項１】
排水栓の上面部に第１取付け部材の下部を水平面内で回動自在に取付け、第１取付け部材の上部に第２取付け部材の一端部を垂直面内で回動自在に取付け、上記第１取付け部材と第２取付け部材とで構成される取付け具の外部に露出するほぼ全外面を丸みを持った曲面とし、第２取付け部材の他端部に嵌め込み穴を形成すると共に第２取付け部材に一端が外部に開口し且つ他端が嵌め込み穴に開口するねじ孔を形成し、嵌め込み穴にボールチェーンの端部を嵌め込み、ねじ孔に螺合したねじの先端部を嵌め込み穴に突入させてボールチェーン端部のボールとボールとの間に差し込んで成ることを特徴とする排水栓へのボールチェーンの取付け構造。
【請求項２】
上記第１取付け部材の主体を円柱状をした第１円柱部により構成し、該第１円柱部の上端部の片側半部を半球を略１／２削除することで残った略１／４球状をした第１突部とすると共に他の片側半部が半球を略１／２削除した第１切欠部とし、上記第２取付け部材を円柱状をした第２円柱部により構成し、該第２円柱部の一端部の片側半部を半球を略１／２削除することで残った略１／４球状をした第２突部とすると共に他の片側半部が半球を略１／２削除した第２切欠部とし、且つ、第２円柱部の他端部を半球状とし、上記第１切欠部と第２切欠部とを合わせてこの合わせ部分で回動自在となるように第１取付け部材と第２取付け部材とを軸支して成ることを特徴とする請求項１記載の排水栓へのボールチェーンの取付け構造。
【発明の詳細な説明】
【技術分野】
【０００１】
本発明は、浴槽のような水槽の排水孔に着脱自在に嵌め込まれる排水栓に取付け具を介してボールチェーンの下端部を取付けるための排水栓へのボールチェーンの取付け構造に関するものである。
【背景技術】
【０００２】
排水栓にボールチェーンを取付けるに従来例として特許文献１が知られている。この特許文献１に示された従来例は、図３に示すようなもので、ゴム製の排水栓１の上面部に取付け部材２０を突設し、該取付け部材２０に連携リングを回動自在に取付け、ボールチェーン７の下端部のボール９を回動自在に嵌め込んだカップリング２１を連携リング２６に回動自在に取付けることで、排水栓にボールチェーン７を取付けるようにしていた。
【０００３】
上記カップリング２１は、一枚の金属板を曲げ加工して構成してあり、金属板の中間部を筒状に折り曲げて筒状部２２を形成すると共に筒状部２２にスリット２３を形成し、更に、金属板の両端板部２４を面接触状態で合着すると共に該両端板部２４にリング通し孔２５を形成して構成してあり、上記チェーン７の下端部のボール９を筒状部２２内に入れると共にチェーン７の紐部分をスリット２３に通すことでチェーン７の下端部にカップリング２１を取付け、リング通し孔２５に連携リング２６を通すことでカップリング２１を連結リングに連結するようになっている。
【０００４】
ここで、上記従来例にあっては、図３に示すように取付け部材２０は円柱の上部が略半球状となっていて取付け部材２０部分は外面が丸みを帯びていてエッジがないため足で踏んだ場合痛くないようになっているが、カップリング２１のボールチェーン７の端部を取付ける筒状部２２は金属板を筒状に曲げて形成したものであるため、筒状部２２の両端開口縁部は薄い金属板のエッジであり、足で踏んだ場合、足が痛くなったり、足を傷付けたりするという問題がある。
【０００５】
また、カップリング２１にボールチェーン７を取付ける方式の上記従来例にあっては、カップリング２１のスリット２３の幅を押し広げた状態でボールチェーン７の下端のボール９をスリット２３に通して筒状部２２内に入れ、その後、筒状部２２を軸方向に押し付けてスリット２３の幅を狭くして筒状部２２内のボール９がスリット２３から抜けないようにしてボールチェーン７を取付けたり、あるいは、スリット２３の一端部を一方の端板部２４に設けたリング通し孔２５に至らせ、ボールチェーン７の端部のボール９をスリット２３に連通する方のリング通し孔２５内に挿入し、該ボール９をスリット２３に沿って筒状部２２側に移動させ、その後、両端板部２４を面接触させて合着することで、筒状部２２内のボール９がスリット２３から抜けないようにしてボールチェーン７を取付けたりせねばならず、取付けが面倒であるという問題がある。
【特許文献１】特開２００３−１０２６３１号公報
【発明の開示】
【発明が解決しようとする課題】
【０００６】
本発明は上記の従来の問題点に鑑みて発明したものであって、薄い金属板のエッジがなくて足で踏んでも足が痛くなったり、傷付いたりするのを防止でき、また、ボールチェーンの取付けが容易となる排水栓へのボールチェーンの取付け構造を提供することを課題とするものである。
【課題を解決するための手段】
【０００７】
上記課題を解決するために本発明に係る排水栓へのボールチェーンの取付け構造は、排水栓１の上面部に第１取付け部材２の下部を水平面内で回動自在に取付け、第１取付け部材２の上部に第２取付け部材３の一端部を垂直面内で回動自在に取付け、上記第１取付け部材２と第２取付け部材３とで構成される取付け具４の外部に露出するほぼ全外面を丸みを持った曲面とし、第２取付け部材３の他端部に嵌め込み穴５を形成すると共に第２取付け部材３に一端が外部に開口し且つ他端が嵌め込み穴５に開口するねじ孔６を形成し、嵌め込み穴５にボールチェーン７の端部を嵌め込み、ねじ孔６に螺合したねじ８の先端部を嵌め込み穴５内に突入させてボールチェーン７の端部のボール９とボール９との間に差し込んで成ることを特徴とするものである。
【０００８】
このように、排水栓１の上面部に第１取付け部材２の下部を水平面内で回動自在に取付け、第１取付け部材２の上部に他端部にボールチェーン７の端部を取付ける第２取付け部材３の一端部を垂直面内で回動自在に取付けることで、ボールチェーン７の取付け部分が水平面内、垂直面内でそれぞれ回動できて、ボールチェーン７の向きがあらゆる方向に対応できるのは勿論のこと、第１取付け部材２と第２取付け部材３とで構成される取付け具４の外部に露出するほぼ全外面を丸みを持った曲面とすることで、足で踏んでも痛くなく、また、足を傷付けたりしない。また、嵌め込み穴５にボールチェーン７の端部を嵌め込み、ねじ孔６に螺合したねじ８の先端部を嵌め込み穴５内に突入させてボールチェーン７の端部のボール９とボール９との間に差し込むという作業で簡単にボールチェーン７を第２取付け部材３に取付けることができる。
【０００９】
また、上記第１取付け部材２の主体を円柱状をした第１円柱部１０により構成し、該第１円柱部１０の上端部の片側半部を半球を略１／２削除することで残った略１／４球状をした第１突部１１とすると共に他の片側半部が半球を略１／２削除した第１切欠部１２とし、上記第２取付け部材３を円柱状をした第２円柱部１３により構成し、該第２円柱部１３の一端部の片側半部を半球を略１／２削除することで残った略１／４球状をした第２突部１４とすると共に他の片側半部を半球を略１／２削除した第２切欠部１５とし、且つ、第２円柱部１３の他端部を半球状とし、上記第１切欠部１２と第２切欠部１５とを合わせてこの合わせ部分で回動自在となるように第１取付け部材２と第２取付け部材３とを軸支することが好ましい。
【００１０】
このような構成とすることで、簡単な構成により足で踏んでも痛くない取付け具４を構成でき、また、円柱状をした取付け具４が中間部分で回動自在に中折れできるような形態にでき、構造が簡略化する。
【発明の効果】
【００１１】
本発明は、上記のように構成したので、従来のように薄い金属板を折り曲げて形成したカップリングを使用することなくボールチェーンの取付けができて、従来のように薄い金属板のエッジ部がなくて足で踏んでも足が痛くなったり、傷付いたりすることがなく、また、ねじの螺合操作により簡単に取付けることができて、ボールチェーンの取付けが容易となる。
【発明を実施するための最良の形態】
【００１２】
以下、本発明を図１、図２に示す実施形態に基いて説明する。
【００１３】
排水栓１は浴槽のような水槽の排水孔（図示せず）に着脱自在に嵌め込んで止水するために使用されのものである。この排水栓１はゴム製で、上面部中央に第１取付け部材２の下部を水平面内で回動自在となるように取付けてある。
【００１４】
第１取付け部材２の上部には第２取付け部材３の一端部が垂直面内で回動自在となるように取付けてある。
【００１５】
第１取付け部材２の主体である排水栓１の上面部より上方に突出した部分は、第１円柱部１０となっており、この第１円柱部１０の上端部の片側半部は略１／４球状をした第１突部１１となり、他の片側半分が第１切欠部１２となっている。つまり、第１円柱部１０の上端部の片側半部が半球を略１／２削除することで残った略１／４球状をした第１突部１１となると共に他の片側半部が半球を略１／２削除した第１切欠部１２としてある。
【００１６】
第２取付け部材３は円柱状をした第２円柱部１３により構成してある。この第２円柱部１３の一端部の片側半部を略１／４球状をした第２突部１４となり、他の片側半分が第２切欠部１５となっている。つまり、第２円柱部１３の上端部の片側半部が半球を略１／２削除することで残った略１／４球状をした第２突部１４となると共に他の片側半部が半球を略１／２削除した第２切欠部１５となっている。また、第２円柱部１３の他端部は半球状をした半球部１６となっている。
【００１７】
第２円柱部１３の他端部の半球部１６はその頂点に開口するように第２円柱部１３の軸方向に嵌め込み穴５が穿孔してあり、また、第２円柱部１３の外面から第２円柱部１３の軸方向と交差するようにねじ孔６が穿孔してあって、該ねじ孔６の一端が外部に開口し且つ他端は嵌め込み穴５に開口しており、該ねじ孔６にねじ８が螺合してある。
【００１８】
第１取付け部材２の第１切欠部１２と第２取付け部材３の第２切欠部１５とを合わせて合わせ部分で回動自在となるように軸となるねじ具１７により軸支してある。第１切欠部１２と第２切欠部１５の互いに対向する合わせ面は垂直面となっており、第１取付け部材２と第２取付け部材３とが垂直面内で回動自在となっている。このように第１取付け部材２と第２取付け部材３とを回動自在に連結して取付け具４を形成することで、第１取付け部材２に対して第２取付け部材３を起立させると、第１取付け部材２と第２取付け部材３との軸心が略一致して取付け具４全体が先端部が半球状となった略円柱状となり、この略円柱状をした取付け具４が軸支部分である中間部分で回動自在に中折れできるような形態にでき、簡単な構造で、第１取付け部材２と第２取付け部材３とで構成される取付け具４の外部に露出するほぼ全外面を丸みを持った曲面とすることができる。
【００１９】
ねじ８の先端部が嵌め込み穴５内に突出しないようにねじ８を緩めた状態で、嵌め込み穴５にはボールチェーン７の端部のボール９を嵌め込む。この場合、少なくとも嵌め込み穴５のねじ孔６との連通部分よりも奥側に１つ以上のボール９が嵌め込まれるようにする。その後、ねじ８を螺進させてねじ８の先端部を嵌め込み穴５内に突入させてボールチェーン７の端部のボール９とボール９との間に差し込んで嵌め込み穴５の奥に位置するボール９が抜けないようにすることで、ボールチェーン７の端部を第２取付け部材２の半球部１６に取付ける。このようにしてボールチェーン７を取付け具４の第２取付け部材３に取付けることで、従来のように薄い金属板を折り曲げて形成したカップリングを用いて取付ける必要がない。また、上記のようにねじ８を操作するのみでボールチェーン７を第２取付け部材３に対して外れないように取付けることができるので、ボールチェーン７の取付けが極めて容易におこなえ、また、ボールチェーン７を交換する際も簡単に取り外して、新しいものを取付けることができる。
【００２０】
そして、本発明においては、上記のように、第１取付け部材２と第２取付け部材３とで構成される取付け具４の外部に露出するほぼ全外面が丸みを持った曲面となっているので、従来のカップリングを使用するもののように薄い金属板のエッジが露出するものに比べて、足で踏んでも痛くなく、また、足を傷付けたりしない。
【図面の簡単な説明】
【００２１】
【図１】本発明の斜視図である。
【図２】同上の平面図である。
【図３】従来例の斜視図である。
【符号の説明】
【００２２】
１  排水栓
２  第１取付け部材
３  第２取付け部材
４  取付け具
５  嵌め込み穴
６  ねじ孔
７  ボールチェーン
８  ねじ
９  ボール
１０  第１円柱部
１１  第１突部
１２  第１切欠部
１３  第２円柱部
１４  第２突部
１５  第２切欠部
【図１】
2008132034.tif 000003
【図２】
2008132034.tif 000004
【図３】
2008132034.tif 000005